(57)【要約】【課題】多様な媒体に対して、液体と液体に作用する他の液体とを用いた印刷を適正化する。【解決手段】媒体に画像を印刷する印刷装置は、媒体に第１液体を吐出する第１ノズル群と、第１液体に作用する第２液体を吐出する第２ノズル群とを有するヘッドと、ヘッドを主走査方向に移動させる主走査部と、媒体を副走査方向に移動させる副走査部と、第１液体の吐出と第２液体の吐出とを制御する制御部と、を備え、第２ノズル群は、副走査方向において第１ノズル群よりも上流側に配置された上流部と、副走査方向において上流部よりも下流側に位置し、主走査方向に見て第１ノズル群の少なくとも一部と重複して配置された重複部と、を有し、制御部は、吐出される第１液体の液量に基づいて、吐出させる第２液体の液量を決定し、決定された第２液体の液量が閾値以下である場合、重複部と上流部とのうち、少なくとも重複部から第２液体を吐出させる。【選択図】図５
2019123134.tif 000002
【特許請求の範囲】
【請求項１】
媒体に画像を印刷する印刷装置であって、
前記媒体に第１液体を吐出する第１ノズル群と、前記第１液体に作用する第２液体を吐出する第２ノズル群と、を有するヘッドと、
前記媒体に対して前記ヘッドを主走査方向に相対移動させる主走査部と、
前記ヘッドに対して前記媒体を前記主走査方向と交差する副走査方向に相対移動させる副走査部と、
前記第１ノズル群からの前記第１液体の吐出と前記第２ノズル群からの前記第２液体の吐出とを制御する制御部と、
を備え、
前記第２ノズル群は、前記副走査方向において前記第１ノズル群よりも上流側に配置された上流部と、前記副走査方向において前記上流部よりも下流側に位置し、前記主走査方向に見て前記第１ノズル群の少なくとも一部と重複して配置された重複部と、を有し、
前記制御部は、
吐出される前記第１液体の液量に基づいて、吐出させる前記第２液体の液量を決定し、
決定された前記第２液体の液量が閾値以下である場合、前記重複部と前記上流部とのうち、少なくとも前記重複部から前記第２液体を吐出させる、
印刷装置。
【請求項２】
請求項１に記載の印刷装置において、
前記制御部は、決定された前記第２液体の液量が前記閾値を超える場合、前記重複部と前記上流部との両方から前記第２液体を吐出させる、
印刷装置。
【請求項３】
請求項２に記載の印刷装置において、
前記制御部は、
前記媒体の種類に関する情報を取得する媒体種類取得部を有し、
前記上流部から吐出させる前記第２液体の液量を、前記媒体の種類に応じて決定する、
印刷装置。
【請求項４】
請求項１から請求項３までのいずれか一項に記載の印刷装置において、
前記閾値は、印刷品質が互いに異なる複数の印刷モード毎に設定される、
印刷装置。
【請求項５】
第１液体を吐出する第１ノズル群と前記第１液体に作用する第２液体を吐出する第２ノズル群とを有し媒体に対して主走査方向に相対移動するヘッドを備える印刷装置を用いて、前記ヘッドに対して前記媒体を前記主走査方向と交差する副走査方向に相対移動させて前記媒体に画像を印刷する印刷方法であって、
吐出される前記第１液体の液量に基づいて、吐出させる前記第２液体の液量を決定する工程と、
決定された前記第２液体の液量が閾値以下である場合、前記第２ノズル群に含まれ、前記副走査方向において前記第１ノズル群よりも上流側に配置された上流部と、前記第２ノズル群に含まれ、前記副走査方向において前記上流部よりも下流側に位置し前記主走査方向に見て前記第１ノズル群の少なくとも一部と重なる重複部と、のうち、少なくとも前記重複部から前記第２液体を吐出させる工程と、
を備える、印刷方法。
【発明の詳細な説明】
【技術分野】
【０００１】
本発明は、印刷装置に関する。
【背景技術】
【０００２】
従来から、インクと共に、インクに作用する反応液を用いて印刷を行なう印刷装置が知られている。例えば、特許文献１に記載の印刷装置では、インクと共に、インクの色材を凝集させる反応液を用いて印刷を行なう印刷モードと、かかる反応液を用いずインクのみを用いて印刷を行なう印刷モードとを選択可能に構成されている。
【先行技術文献】
【特許文献】
【０００３】
【特許文献１】特開２０００−１９０４８０号公報
【発明の概要】
【発明が解決しようとする課題】
【０００４】
しかしながら、特許文献１に記載の印刷装置では、反応液を併用するか併用しないかを、印刷媒体の種類によって選択できるにすぎない。このため、多様な媒体に対しそれぞれ適正な印刷を行なうための、反応液の使用量や使用のタイミング等については、何ら考慮されていなかった。このような問題は、色材を凝集させる反応液に限らず、インクに作用する任意の液体を用いる場合に共通する。また、インクに限らず任意の液体を吐出する印刷装置に共通する。このため、多様な媒体に対して、液体と、かかる液体に作用する他の液体とを用いた適正な印刷を行なうために、改善の余地があった。
【課題を解決するための手段】
【０００５】
本発明は、上述の課題の少なくとも一部を解決するためになされたものであり、以下の形態として実現することが可能である。
【０００６】
（１）本発明の一形態によれば、印刷装置が提供される。この印刷装置は、媒体に画像を印刷する印刷装置であって；前記媒体に第１液体を吐出する第１ノズル群と、前記第１液体に作用する第２液体を吐出する第２ノズル群と、を有するヘッドと；前記媒体に対して前記ヘッドを主走査方向に相対移動させる主走査部と；前記ヘッドに対して前記媒体を前記主走査方向と交差する副走査方向に相対移動させる副走査部と；前記第１ノズル群からの前記第１液体の吐出と前記第２ノズル群からの前記第２液体の吐出とを制御する制御部と；を備え；前記第２ノズル群は、前記副走査方向において前記第１ノズル群よりも上流側に配置された上流部と、前記副走査方向において前記上流部よりも下流側に位置し、前記主走査方向に見て前記第１ノズル群の少なくとも一部と重複して配置された重複部と、を有し；前記制御部は；吐出される前記第１液体の液量に基づいて、吐出させる前記第２液体の液量を決定し；決定された前記第２液体の液量が閾値以下である場合、前記重複部と前記上流部とのうち、少なくとも前記重複部から前記第２液体を吐出させる。この形態の印刷装置によれば、要求液量が閾値以下である場合に少なくとも重複部から第２液体を吐出させるので、第２液体と第１液体とを同時に吐出でき、第２液体と第１液体とを媒体に同時に浸透させることができる。このため、先に吐出された第２液体が媒体に先に過度に浸透して、後から吐出された第１液体に作用できなくなることを抑制できる。したがって、多様な媒体に対して、液体（第１液体）と液体に作用する他の液体（第２液体）とを用いた印刷を適正化できる。このため、適用可能な媒体の種類を増やすことができる。
【０００７】
（２）上記形態の印刷装置において、前記制御部は、決定された前記第２液体の液量が前記閾値を超える場合、前記重複部と前記上流部との両方から前記第２液体を吐出させてもよい。この形態の印刷装置によれば、要求液量が閾値を超える場合に重複部と上流部との両方から反応液を吐出させるので、重複部から閾値量を超える第２液体が吐出されることを抑制でき、媒体において第２液体と第１液体とが同時に吐出された部分の乾燥が不十分となることを抑制できる。また、第１液体の液量に対して第２液体の液量が不足することを抑制でき、画質の低下を抑制できる。
【０００８】
（３）上記形態の印刷装置において、前記制御部は；前記媒体の種類に関する情報を取得する媒体種類取得部を有し；前記上流部から吐出させる前記第２液体の液量を、前記媒体の種類に応じて決定してもよい。この形態の印刷装置によれば、制御部が上流部から吐出させる第２液体の液量を媒体の種類に応じて決定するので、多様な媒体に対して印刷をより適正化できる。また、反応液の液量の増減を使用者が選択する態様と比較して、使用者の動作を省略できる。
【０００９】
（４）上記形態の印刷装置において、前記閾値は、印刷品質が互いに異なる複数の印刷モード毎に設定されてもよい。この形態の印刷装置によれば、印刷品質が互いに異なる複数の印刷モード毎に閾値が設定されるので、印刷モード毎に閾値を適正化して印刷を適正化できる。
【００１０】
本発明は、印刷装置以外の種々の形態で実現することも可能である。例えば、印刷方法、かかる印刷方法を実現するためのコンピュータープログラム、かかるコンピュータープログラムを記録した記録媒体等の形態で実現できる。
【図面の簡単な説明】
【００１１】
【図１】印刷装置の概略構成を示す説明図である。
【図２】印刷装置の概略構成を示すブロック図である。
【図３】印刷ヘッドが備えるノズルの配置構成を示す説明図である。
【図４】印刷処理の手順を示すフローチャートである。
【図５】吐出制御処理の手順を示すフローチャートである。
【図６】閾値および吐出制御処理の結果を説明するための説明図である。
【図７】第２実施形態における吐出制御処理の手順を示すフローチャートである。
【図８】第２実施形態における吐出制御処理の結果を説明するための説明図である。
【発明を実施するための形態】
【００１２】
Ａ．第１実施形態：
Ａ−１．装置構成：
図１は、本発明の一実施形態としての印刷装置１０の概略構成を示す説明図である。図２は、印刷装置１０の概略構成を示すブロック図である。図１では、副走査方向Ｙを実線の矢印で示している。副走査方向Ｙは、後述する図３で示す主走査方向Ｘと直交する方向である。主走査方向Ｘは、図１の紙面と直交する方向である。なお、副走査方向Ｙと主走査方向Ｘとは、直交に限らず、互いに任意の角度で交差する方向であってもよい。
【００１３】
印刷装置１０は、図２に示す印刷制御装置２００から入力される印刷データに基づいて媒体Ｍに画像を印刷する。本実施形態において、印刷制御装置２００は、印刷装置１０用のドライバーソフトウェアがインストールされたパーソナルコンピューターにより構成されている。印刷制御装置２００は、ハードディスクドライブ、ＣＤ−ＲＯＭおよびメモリーカード等の記録媒体を読み取り可能な、図示しないドライブを有する。印刷制御装置２００では、印刷データの生成と、印刷装置１０への印刷データの送信が行われる。なお、印刷データの送信は、ＵＳＢ（Universal Serial Bus）、無線ＬＡＮ（Local Area Network）、有線ＬＡＮ等の任意の種類の通信ネットワークを介して実行されてもよい。
【００１４】
印刷装置１０は、いわゆるシリアル式のインクジェットプリンターとして構成されている。印刷装置１０は、Ｃ（シアン）、Ｍ（マゼンタ）、Ｙ（イエロー）、Ｋ（ブラック）の４色のインクとともに、反応液を吐出することにより、媒体Ｍ上にドットを形成して画像を印刷する。なお、４色のインクに加えてライトシアンやライトマゼンタ等のインクを用いてもよく、他の任意の種類のインクを用いてもよい。また、本実施形態の媒体Ｍは、樹脂材料により構成されているが、樹脂材料に代えて、紙や布等の他の任意の印刷媒体で構成されていてもよい。
【００１５】
反応液は、インクに対して作用することにより、自身の発色以外の特徴を発現する。本実施形態において、反応液は、色材を含まない液体により構成され、インクの発色を向上させる機能を有する。なお、反応液は、インクに含まれる色材の凝集を抑制する機能や、インクの定着性を高める機能等の他の任意の機能を有していてもよく、インクに対して作用する任意の液体により構成されていてもよい。
【００１６】
印刷装置１０は、移動部２０と、印刷ヘッド５０と、加熱部６０と、制御ユニット９０とを備える。
【００１７】
移動部２０は、媒体Ｍに画像を印刷するために、媒体Ｍおよび印刷ヘッド５０の移動を実行する。移動部２０は、副走査部４０と、主走査部３０とを有する。副走査部４０は、白抜きの矢印で示す搬送方向に媒体Ｍを搬送して印刷ヘッド５０の近傍と加熱部６０の近傍とを通過させる。印刷ヘッド５０の近傍を通過する際の媒体Ｍの搬送方向は、副走査方向Ｙに相当する。図１に示すように、副走査部４０は、繰出部４１と、支持部４２と、複数の搬送ローラー４３と、巻取部４４とを有する。繰出部４１は、ロール状に巻回された印刷前の媒体Ｍを、図示しない駆動モーターにより回転させて繰り出す。支持部４２は、搬送方向に搬送される媒体Ｍを支持する。複数の搬送ローラー４３は、図示しない駆動モーターにより回転して、支持部４２上の媒体Ｍを搬送方向に搬送する。巻取部４４は、印刷後の媒体Ｍを巻き取る。
【００１８】
主走査部３０は、媒体Ｍに対して印刷ヘッド５０を主走査方向Ｘに移動させる。主走査部３０は、ガイド軸３１と、キャリッジ３２とを有する。ガイド軸３１は、２本の棒状部材で構成され、長手方向が主走査方向Ｘと平行に配置されている。ガイド軸３１は、キャリッジ３２を移動可能に支持している。キャリッジ３２は、図示しないキャリッジモーターによって駆動され、ガイド軸３１に沿って主走査方向Ｘに往復移動する。
【００１９】
印刷ヘッド５０は、キャリッジ３２に搭載され、媒体Ｍと対向している。このため、印刷ヘッド５０は、キャリッジ３２の往復動作に伴い、主走査方向Ｘに往復移動する。なお、印刷ヘッド５０の主走査方向Ｘへの移動を「主走査」および「パス」とも呼び、１回の主走査を「主走査パス」とも呼ぶ。印刷ヘッド５０のうち媒体Ｍと対向する面には、インクおよび反応液を吐出するための複数のノズルが形成されている。
【００２０】
図３は、印刷ヘッド５０が備えるノズルの配置構成を示す説明図である。図３では、媒体Ｍ側から見た印刷ヘッド５０の構成を示している。印刷ヘッド５０は、各色（Ｃ、Ｍ、Ｙ、Ｋ）のインクを吐出する第１ノズル群５１と、反応液を吐出する第２ノズル群５６とを有する。
【００２１】
第１ノズル群５１は、副走査方向Ｙと平行に配置された各色に対応する４つのノズル列５２を有する。各ノズル列５２は、副走査方向Ｙに連なる第１ノズルチップ５３および第２ノズルチップ５４により、それぞれ形成されている。第１ノズルチップ５３は、第２ノズルチップ５４の上流側に位置する。各ノズルチップ５３、５４には、それぞれ所定のノズルピッチｄｐで副走査方向Ｙに並んだ複数のノズルＮｚからなるノズル列が形成されている。
【００２２】
第２ノズル群５６は、副走査方向Ｙに連なる２つのノズルチップである、上流部５７と重複部５８とにより形成されている。上流部５７は、副走査方向Ｙにおいて第１ノズル群５１よりも上流側に配置されている。重複部５８は、副走査方向Ｙにおいて上流部５７の下流側に連なって配置され、主走査方向Ｘに見て第２ノズルチップ５４と重複して配置されている。上流部５７と重複部５８には、それぞれ所定のノズルピッチｄｐで副走査方向Ｙに並んだ複数のノズルＮｚからなるノズル列が形成されている。
【００２３】
以降の説明では、第１ノズルチップ５３、第２ノズルチップ５４、上流部５７および重複部５８を、それぞれ単に「ノズルチップ」とも呼ぶ。「ノズルチップ」とは、インク吐出のための構造、例えばノズルＮｚやピエゾ素子やインク室が、半導体製造技術（いわゆるＭＥＭＳ）により集積して製造された部品を意味する。
【００２４】
各ノズルチップの副走査方向Ｙに沿った長さは、１回の副走査における媒体Ｍの搬送量に相当する長さとそれぞれ等しい。なお、各ノズルチップの副走査方向Ｙに沿った長さは、１回の副走査における媒体Ｍの搬送量に相当する長さよりも長くてもよい。本実施形態において、「１回の副走査」とは、連続する２回の主走査パスの間に搬送される、媒体Ｍの移動を意味する。
【００２５】
第１ノズルチップ５３における副走査方向Ｙの下流側端部のノズルＮｚと、第２ノズルチップ５４における副走査方向Ｙの上流側端部のノズルＮｚとの間隔は、各ノズルチップにおけるノズルピッチｄｐと等しい。また、上流部５７における副走査方向Ｙの下流側端部のノズルＮｚと、重複部５８における副走査方向Ｙの上流側端部のノズルＮｚとの間隔は、各ノズルチップにおけるノズルピッチｄｐと等しい。本実施形態において、各ノズルチップには、それぞれ２００個のノズルＮｚが形成されているが、図３では、一部のノズルＮｚを省略して示している。なお、各ノズルチップに形成されるノズルＮｚの数は、他の任意の数であってもよい。各ノズルＮｚには、図示しないインク室とピエゾ素子とが設けられており、ピエゾ素子の駆動によってインク室が伸縮することにより、各ノズルＮｚからインクの液滴または反応液の液滴が吐出される。なお、液滴の吐出方式は、ピエゾ素子を用いるピエゾ方式に代えて、サーマル方式等の他の任意の方式であってもよい。
【００２６】
第１ノズル群５１からのインクの吐出と、第２ノズル群５６からの反応液の吐出との制御については、後述する。
【００２７】
図１に示すように、加熱部６０は、媒体Ｍの搬送方向において印刷ヘッド５０の下流側に配置されている。加熱部６０は、印刷ヘッド５０を通過した後の媒体Ｍを加熱し、媒体Ｍ上のインクおよび反応液の溶媒成分を蒸発させて乾燥させる。
【００２８】
加熱部６０は、内部に図示しない発熱体を有し、加熱された空気を送風するとともに、赤外線を放射することにより媒体Ｍを加熱する。なお、加熱された空気の送風と赤外線の放射とのうちの一方を省略してもよく、他の任意の方式の加熱装置を加熱部６０として用いてもよい。また、加熱部６０の主走査方向Ｘに沿った長さは、媒体Ｍの主走査方向Ｘに沿った長さと一致していてもよく、媒体Ｍの主走査方向Ｘに沿った長さよりも長くてもよい。
【００２９】
図２に示す制御ユニット９０は、印刷装置１０の全体的な制御を行う。制御ユニット９０は、マイクロコンピューターにより構成されており、インターフェイス部９１と、メモリー９２と、ＣＰＵ９３とを備えている。
【００３０】
インターフェイス部９１は、印刷制御装置２００との間で印刷データ等の送受信を行なう。メモリー９２は、ＲＡＭ、ＲＯＭおよびＥＥＰＲＯＭ等の記録媒体で構成され、印刷装置１０の動作を制御する制御プログラム９５と、閾値テーブル９６とを格納している。閾値テーブル９６の詳細については、後述する。ＣＰＵ９３は、制御プログラム９５を展開して実行することにより、制御部９７として機能する。
【００３１】
制御部９７は、印刷制御装置２００から入力される印刷データに基づく印刷を統合制御する。制御部９７は、第１ノズル群５１からのインクの吐出と、第２ノズル群５６からの反応液の吐出とを制御する。制御部９７は、第１ノズル群５１および第２ノズル群５６を駆動させるための信号を生成し、印刷ヘッド５０に送信する。また、制御部９７は、副走査部４０を制御して媒体Ｍの搬送を行なわせ、主走査部３０を制御してキャリッジ３２の往復動作を行なわせ、加熱部６０を制御して加熱を行なわせる。また、制御部９７は、媒体種類取得部９８を有する。媒体種類取得部９８は、印刷制御装置２００から送信される印刷データから、媒体Ｍの材質や構成等の種類に関する情報を取得する。かかる情報は、使用者によって予め印刷制御装置２００に設定されている。
【００３２】
以上の構成により、印刷装置１０は、主走査部３０によって印刷ヘッド５０を主走査方向Ｘに往復移動させながら印刷ヘッド５０からインクおよび反応液を吐出させるパス動作と、副走査部４０によって副走査方向Ｙに媒体Ｍを移動させる搬送動作とを繰り返すことにより、媒体Ｍに画像を印刷する。
【００３３】
本実施形態において、インクは、課題を解決するための手段における第１液体の下位概念に、反応液は、課題を解決するための手段における第２液体の下位概念に、印刷ヘッド５０は、課題を解決するための手段におけるヘッドの下位概念に、それぞれ相当する。
【００３４】
Ａ−２．印刷処理：
図４は、印刷処理の手順を示すフローチャートである。使用者が印刷制御装置２００において印刷対象の画像を指定して印刷実行を指示すると、印刷制御装置２００および印刷装置１０において印刷処理が実行される。
【００３５】
印刷制御装置２００は、使用者により指定された画像の画像データを読み込む（ステップＳ２１０）。ステップＳ２１０では、例えば、ハードディスクドライブ、ＣＤ−ＲＯＭおよびメモリーカード等の記録媒体に記憶されている画像データが読み込まれる。画像データは、Ｒ（赤）、Ｇ（緑）およびＢ（青）の色成分の階調値（０〜２５５）を有する。
【００３６】
印刷制御装置２００は、読み込まれた画像データに対して、解像度変換処理を実行する（ステップＳ２２０）。具体的には、印刷制御装置２００は、画像データの解像度を、媒体Ｍに印刷される際の解像度に変換する。
【００３７】
印刷制御装置２００は、色変換処理を実行する（ステップＳ２３０）。具体的には、印刷制御装置２００は、図示しないメモリーに格納された図示しない色変換テーブルを参照して、ＲＧＢデータを印刷装置１０のインク色ＣＭＹＫの色空間により表される２５６階調のＣＭＹＫデータに変換する。
【００３８】
印刷制御装置２００は、ハーフトーン処理を実行する（ステップＳ２４０）。具体的には、印刷制御装置２００は、図示しないメモリーに格納された図示しないディザマスク等を参照して、ＣＭＹＫデータの２５６階調の階調値を、印刷装置１０で表現可能な４段階の階調値（２ビットデータ）に変換したドットデータを生成する。４段階とは、大きさが異なる２種類のドット（大ドットおよび小ドット）の単独使用、組み合わせ使用、および不使用により表わされる４つの段階を意味する。
【００３９】
印刷制御装置２００は、ラスタライズ処理を実行する（ステップＳ２５０）。具体的には、印刷制御装置２００は、ハーフトーン処理で生成されたドットデータを、主走査パス毎のドットデータに分割する。
【００４０】
印刷制御装置２００は、ラスタライズ処理後のデータ（以下、「ラスターデータ」とも呼ぶ）に印刷制御コマンドを付加して印刷データを生成し、印刷装置１０に対して出力する（ステップＳ２６０）。印刷制御コマンドには、例えば、媒体Ｍの種類に関する情報や、１回の副走査における媒体Ｍの副走査方向Ｙへの搬送量や速度に関する搬送データ等が含まれる。なお、媒体Ｍの種類に関する情報は、印刷制御コマンドとは別に、印刷装置１０に出力されてもよい。
【００４１】
印刷装置１０の制御部９７は、出力された印刷データに基づいて、吐出制御処理を実行する（ステップＳ３００）。
【００４２】
図５は、吐出制御処理の手順を示すフローチャートである。制御部９７は、ラスターデータに基づいて、第１ノズル群５１から吐出されるインクの液量を算出し、算出されたインクの液量に基づいて、第２ノズル群５６から吐出させる反応液の液量（以下、「要求液量」とも呼ぶ）を決定する（ステップＳ３１０）。以下の説明では、特に断らない限り、インクの液量とは各色のインクの液量を合算した総量を意味する。要求液量は、インクの液量に比例する。このため、制御部９７は、インクの液量から要求液量を算出して決定できる。また、制御部９７は、インクの液量に対して予め対応付けられているテーブルを参照して、要求液量を決定してもよい。かかるテーブルでは、例えば、反応液の種類、インクの種類および媒体Ｍの種類等に応じた適切な量の要求液量が設定されていてもよい。
【００４３】
制御部９７は、第１ノズル群５１から吐出されるインクの液量と、ステップＳ３１０で決定された要求液量とを合算することにより、合計液量を算出する（ステップＳ３２０）。制御部９７は、第２ノズル群５６から吐出させる反応液の液量の閾値を特定する（ステップＳ３３０）。ステップＳ３３０において、制御部９７は、予め作成されてメモリー９２に格納されている閾値テーブル９６を参照することにより、閾値を特定する。なお、制御部９７は、閾値テーブル９６を参照して予め定められた閾値を特定することに代えて、１回の副走査における媒体Ｍの副走査方向Ｙへの搬送量等に基づいて、閾値を算出して特定してもよい。
【００４４】
図６は、閾値および吐出制御処理の結果を説明するための説明図である。図６において、縦軸は、反応液の液量を示し、横軸は、主走査パスで第１ノズル群５１から吐出されるインクの液量を示している。また、直線Ｌ１は、乾燥限界液量を示し、破線で示す直線Ｌ２は、要求液量を示し、太線で示す線Ｌ３は、重複部５８から吐出させる反応液の液量を示し、太線で示す線Ｌ４は、上流部５７から吐出させる反応液の液量を示している。なお、直線Ｌ２と線Ｌ３とは、いずれも原点Ｏから伸びており、それぞれの一部が互いに重なっている。また、図６では、縦軸と横軸と直線Ｌ１とで囲まれる領域を、同時吐出可能領域としてハッチングで示している。
【００４５】
乾燥限界液量とは、吐出された液体を十分乾燥できるという条件で定められた液量であって、主走査パスにおいて吐出可能な最大の液量を意味する。かかる液量は、インクの液量と反応液の液量との合計値である。印刷ヘッド５０から媒体Ｍへと吐出されたインクおよび反応液は、搬送方向下流側に配置された加熱部６０において加熱されて乾燥される。ここで、主走査パスで吐出されたインクおよび反応液が加熱部６０において加熱される時間は、１回の副走査における媒体Ｍの搬送時間に基づく固定時間である。このため、インクの液量と反応液の液量との合計値が多過ぎると、加熱部６０での乾燥が不十分となるおそれがある。そこで、印刷装置１０では、乾燥限界液量が予め設定されている。乾燥限界液量は、１回の副走査における媒体Ｍの副走査方向Ｙへの搬送量、搬送速度、加熱部６０における加熱条件等に応じて設定される。インクの液量と反応液の液量との合計値を乾燥限界液量以下とするために、吐出されるインクと同じ主走査パスで同時に吐出される反応液の液量は、同時吐出可能領域内に設定される。
【００４６】
第２ノズル群５６から吐出させる反応液の液量の閾値は、乾燥限界液量の直線Ｌ１と、要求液量の直線Ｌ２との交点Ｐに相当する、反応液の液量として設定されている。換言すると、閾値は、反応液の要求液量のうち同時吐出可能領域内での最大値として設定されている。閾値は、１回の副走査における媒体Ｍの搬送量、画質、走査の回数および重ね塗りの回数等に応じた、印刷品質が互いに異なる複数の印刷モード毎に予め定められている。なお、閾値は、複数の印刷モード毎に都度算出されてもよい。図６に示す線Ｌ３と線Ｌ４とについての詳細な説明は、後述する。
【００４７】
制御部９７は、ステップＳ３１０で決定された要求液量が、ステップＳ３３０で特定された閾値以下であるか否かを判定する（ステップＳ３４０）。要求液量が閾値以下であると判定された場合（ステップＳ３４０：ＹＥＳ）、制御部９７は、第２ノズル群５６が有する重複部５８と上流部５７とのうち、重複部５８から要求液量の全量を吐出させるように決定する（ステップＳ３５０）。ステップＳ３５０の後、吐出制御処理を終了して図４に示す印刷処理に戻る。
【００４８】
他方、要求液量が閾値以下でないと判定された場合、すなわち、要求液量が閾値を超える場合（ステップＳ３４０：ＮＯ）、制御部９７は、要求液量のうち閾値を超える超過量を算出する（ステップＳ３６０）。制御部９７は、第２ノズル群５６が有する重複部５８と上流部５７とのうち、重複部５８から閾値量の反応液を吐出させ、上流部５７から超過量の反応液を吐出させるように決定する（ステップＳ３７０）。ステップＳ３７０の後、吐出制御処理を終了して図４に示す印刷処理に戻る。
【００４９】
吐出制御処理の結果、図６において破線の直線Ｌ２で示す要求液量は、線Ｌ３で示す重複部５８から吐出させる液量と、線Ｌ４で示す上流部５７から吐出させる液量とに分配される。
【００５０】
インクの液量が、直線Ｌ１と直線Ｌ２との交点Ｐに相当する液量Ａ以下である場合、要求液量が閾値以下となる。要求液量が閾値以下の場合、反応液を重複部５８からのみ吐出させ、上流部５７からは吐出させない。したがって、インクの液量と比例して重複部５８からの吐出量が増加する。このように、要求液量が閾値以下の場合に、上流部５７からの吐出に比べて重複部５８からの吐出を優先して実行し、反応液を重複部５８からのみ吐出させるのは、以下の理由による。反応液をインクに作用させるためには、反応液をインクと同時に吐出することが好ましい。先に反応液を吐出し、時間を置いて後からインクを吐出した場合、先に吐出された反応液が媒体Ｍに過度に浸透し、後から吐出されたインクに作用できなくなるおそれがある。そこで、印刷装置１０では、インクと同時に反応液を吐出可能な重複部５８からの吐出を、上流部５７からの吐出よりも優先して実行している。
【００５１】
他方、インクの液量が液量Ａを超える場合、要求液量が閾値を超えることとなる。要求液量が閾値を超える場合、重複部５８からの吐出量は閾値量で固定値とし、上流部５７からの吐出量がインクの液量と比例して増加するように設定されている。このように、要求液量が閾値を超える場合に、重複部５８から閾値量の反応液を吐出させ、上流部５７から超過量の反応液を吐出させるのは、以下の理由による。重複部５８から閾値量の反応液を吐出させることにより、乾燥限界液量の範囲において反応液とインクとを同時に吐出できる。このため、重複部５８から閾値量を超える反応液が吐出されることを抑制できるので、媒体Ｍにおいて反応液とインクとが同時に吐出された部分の、加熱部６０での乾燥が不十分となることを抑制できる。加えて、重複部５８から吐出させる反応液を閾値量未満に減少させる構成と比較して、画質を安定させることができる。また、上流部５７から超過量の反応液を吐出させることにより、インクの液量に対する要求液量を満たすことができる。このため、インクの液量に対して反応液の液量が不足することを抑制でき、画質の低下を抑制できる。
【００５２】
図４に示す印刷処理において、制御部９７は、吐出制御処理の結果に基づいて駆動信号を生成し、印刷ヘッド５０と移動部２０とを制御し、印刷ヘッド５０の各ノズル群５１、５６から反応液とインクとを吐出させ、印刷を実行する（ステップＳ２７０）。
【００５３】
要求液量が閾値以下の場合、上流部５７からの反応液の吐出は行なわれず、各主走査パスにおいて、第１ノズル群５１からのインクの吐出と、重複部５８からの反応液の吐出とが同時に行なわれる。他方、要求液量が閾値を超える場合、１回目の主走査パスでは、上流部５７から超過量の反応液が吐出される。媒体Ｍが副走査方向Ｙに搬送された後の２回目の主走査パスでは、第１ノズル群５１からインクが吐出されるとともに、重複部５８から閾値量の反応液が吐出される。このように、２回の主走査パスによって、第１ノズル群５１から吐出されるインクに対して必要とされる量の反応液が吐出される。なお、１回目の主走査パスにおいて上流部５７から吐出された反応液は、２回目の主走査パスのタイミングまでに、ある程度乾燥する。このため、上流部５７から吐出された反応液によっては、乾燥限界液量を超えない。加えて、２回目の主走査パスでは、３回目の主走査パスにおいて第１ノズル群５１から吐出されるインクに対する超過量の反応液が、上流部５７から吐出される。すなわち、ｎ回目の主走査パスでは、インクが吐出されるとともに、閾値量の反応液が重複部５８から吐出され、（ｎ＋１）回目の主走査パスにおいて吐出されるインクに対する超過量の反応液が上流部５７から吐出される。なお、ｎは１以上の整数である。媒体Ｍに吐出されたインクおよび反応液は、加熱部６０で乾燥される。以上を繰り返すことにより、印刷処理は終了する。
【００５４】
以上説明した本実施形態の印刷装置１０によれば、要求液量が閾値以下である場合に重複部５８から反応液を吐出させるので、反応液とインクとを同じ主走査パスで同時に吐出でき、反応液とインクとを媒体Ｍに同時に浸透させることができる。このため、先に吐出された反応液が媒体Ｍに先に過度に浸透して後から吐出されたインクに作用できなくなることを抑制できる。したがって、多様な媒体に対して、インクとインクに作用する反応液とを用いた印刷を適正化できる。このため、適用可能な媒体の種類を増やすことができる。
【００５５】
他方、要求液量が閾値を超える場合、重複部５８と上流部５７との両方から反応液を吐出させる。このとき、重複部５８から閾値量の反応液を吐出させ、超過量の反応液を上流部５７から先に吐出させるので、乾燥限界液量の範囲において反応液とインクとを同時に吐出しつつ、要求液量を満たすことができる。このため、重複部５８から閾値量を超える反応液が吐出されることを抑制できるので、媒体Ｍにおいて反応液とインクとが同時に吐出された部分の、加熱部６０での乾燥が不十分となることを抑制できる。また、インクの液量に対して反応液の液量が不足することを抑制でき、画質の低下を抑制できる。また、要求液量が閾値を超える場合に、重複部５８から閾値量の反応液を吐出させるので、重複部５８から吐出させる反応液を閾値量未満に減少させる構成と比較して、画質を安定させることができる。
【００５６】
また、印刷品質が互いに異なる複数の印刷モード毎に閾値が予め定められているので、印刷モード毎に閾値を適正化して印刷を適正化できる。また、予め作成された閾値テーブル９６を参照して閾値を特定するので、閾値の算出を省略でき、制御部９７の処理負荷が増加することを抑制できる。また、媒体Ｍの種類によって反応液の浸透速度が異なる場合に、媒体Ｍの種類に応じて閾値を適正化でき、媒体Ｍに対して印刷をより適正化できる。また、超過量の反応液を上流部５７から吐出させるので、インクと同時に吐出すべき反応液の液量を減らすことができる。このため、同一乾燥条件において反応液と同時に吐出できるインクの量を相対的に増加でき、画質を向上できる。また、主走査パスにおいて重複部５８と上流部５７との両方から反応液を吐出させるので、ノズル領域を有効に活用でき、上流部５７のノズル使用効率を向上でき、印刷ヘッド５０の寿命が短くなることを抑制できる。
【００５７】
Ｂ．第２実施形態：
図７は、第２実施形態における吐出制御処理の手順を示すフローチャートである。第２実施形態における吐出制御処理では、図５に示すステップＳ３７０に代えて、ステップＳ４７０とステップＳ４８０とが実行される点において、第１実施形態における吐出制御処理と異なる。印刷装置１０の構成を含めたその他の構成は第１実施形態と同じであるので、同一の構成には同一の符号を付し、それらの詳細な説明を省略する。
【００５８】
第２実施形態における吐出制御処理では、ステップＳ３６０の実行後、制御部９７は、媒体種類取得部９８によって取得された媒体Ｍの種類に関する情報を参照する（ステップＳ４７０）。
【００５９】
制御部９７は、第２ノズル群５６が有する重複部５８と上流部５７とのうち、重複部５８から閾値量の反応液を吐出させ、媒体Ｍの種類に応じた係数を超過量に対して適用した反応液の液量を、上流部５７から吐出させるように決定する（ステップＳ４８０）。かかる係数は、予めメモリー９２に格納されていてもよく、媒体Ｍの種類に応じて計算されてもよい。また、制御部９７は、かかる係数を超過量に対して加算してもよく、減算してもよく、乗算してもよい。すなわち、制御部９７は、上流部５７から吐出させる反応液の液量を、媒体Ｍの種類に応じて超過量に対して増減させて決定する。
【００６０】
図８は、第２実施形態における吐出制御処理の結果を説明するための説明図である。図８では、図６に示す線Ｌ４を参考のために二点鎖線で示し、上流部５７から吐出させる反応液の液量を実線の線Ｌ５で示している。吐出制御処理の結果、要求液量が閾値を超える場合、すなわち、インクの液量が液量Ａを超える場合、重複部５８から閾値量の反応液を吐出させるとともに、上流部５７から、媒体Ｍの種類に応じて決定された反応液を吐出させる。図８に示す例では、上流部５７から吐出させる反応液の液量が、超過量よりも増加されている。
【００６１】
以上説明した第２実施形態における吐出制御処理によれば、第１実施形態における吐出制御処理と同様な効果を奏する。加えて、制御部９７が、上流部５７から吐出させる反応液の液量を、媒体Ｍの種類に応じて決定するので、例えば、浸透速度の速い媒体Ｍに対して反応液の液量を増加でき、浸透速度の遅い媒体Ｍに対して反応液の液量を減少できる。したがって、多様な媒体に対して印刷をより適正化できる。また、反応液の液量の増減を使用者が選択する態様と比較して、使用者の動作を省略できる。
【００６２】
Ｃ．他の実施形態：
（１）上記実施形態における印刷ヘッド５０の構成は、あくまで一例であり、種々変更可能である。例えば、第１ノズル群５１と第２ノズル群５６とは、副走査方向Ｙに連なる２つのノズルチップをそれぞれ有していたが、１つや３つ以上の他の任意の数のノズルチップにより構成されていてもよい。また、例えば、第２ノズル群５６の重複部５８は、主走査方向Ｘに見て、第１ノズル群５１の副走査方向Ｙの全長に亘って重複して配置されていてもよい。また、例えば、第２ノズル群５６は、副走査方向Ｙにおいて第１ノズル群５１よりも下流側に配置されるノズルＮｚをさらに有していてもよい。また、例えば、第２ノズル群５６が複数のノズル列を有し、複数の反応液を吐出できる構成であってもよい。すなわち一般には、第２ノズル群５６は、副走査方向Ｙにおいて第１ノズル群５１よりも上流側に配置された上流部５７と、副走査方向Ｙにおいて上流部５７よりも下流側に位置し、主走査方向Ｘに見て第１ノズル群５１の少なくとも一部と重複して配置された重複部５８とを有していてもよい。かかる構成によっても、上記実施形態と同様な効果を奏する。
【００６３】
（２）上記実施形態における吐出制御処理は、あくまで一例であり、種々変更可能である。例えば、ステップＳ３１０において、制御部９７は、要求液量をインクの液量に基づいて決定していたが、インク色毎に必要な反応液量をそれぞれ算出し、それらを合算することにより要求液量を決定してもよい。また、例えば、ステップＳ３５０において、制御部９７は、本発明の効果が得られる範囲内において、要求液量の一部を上流部５７から吐出させるように決定してもよい。また、例えば、ステップＳ３７０において、制御部９７は、本発明の効果が得られる範囲内において、重複部５８から吐出させる反応液を閾値量未満に減少させ、減少させた分の反応液と超過量の反応液とを、上流部５７から吐出させるように決定してもよい。また、例えば、第２実施形態において、制御部９７は、上流部５７から吐出させる反応液の液量を、媒体Ｍの種類に応じて超過量に対して増減させて決定していたが、媒体Ｍの種類に応じて使用者が増減を選択し、選択された内容に基づいて、上流部５７から吐出させる反応液の液量を増減させる態様であってもよい。かかる構成によっても、上記実施形態と同様な効果を奏する。
【００６４】
（３）上記実施形態における印刷処理は、１つのラスターにおけるインクの吐出を１回の主走査で実行するシングルパス印刷により実行されていたが、１つのラスターにおけるインクの吐出を複数回の主走査で実行するマルチパス印刷により実行されてもよい。かかる構成によっても、上記実施形態と同様な効果を奏する。
【００６５】
（４）上記実施形態における印刷装置１０の構成は、あくまで一例であり、種々変更可能である。例えば、副走査部４０は、ロール状に巻回された媒体Ｍを搬送する構成であったが、枚葉状の媒体Ｍを搬送する構成であってもよい。また、例えば、副走査部４０は、媒体Ｍを副走査方向Ｙの上流側から下流側へと搬送する構成であったが、媒体Ｍの搬送に代えて、印刷ヘッド５０を副走査方向Ｙの下流側から上流側へと移動させる構成であってもよい。また、例えば、主走査部３０は、印刷ヘッド５０を主走査方向Ｘに移動させる構成であったが、印刷ヘッド５０の移動に代えて、媒体Ｍを主走査方向Ｘに搬送する構成であってもよい。すなわち一般には、印刷装置１０は、印刷ヘッド５０に対して媒体Ｍを副走査方向Ｙに相対移動させる副走査部４０を有していてもよく、媒体Ｍに対して印刷ヘッド５０を主走査方向Ｘに相対移動させる主走査部３０を有していてもよい。また、例えば、印刷装置１０の加熱部６０が省略されて、印刷装置１０の外部に設けられた加熱装置により媒体Ｍが加熱される態様であってもよい。また、例えば、印刷装置１０が印刷制御装置２００を備えていてもよい。このような構成によっても、上記実施形態と同様な効果を奏する。
【００６６】
（５）上記実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録媒体」とは、データを一時的ではなく固定可能な任意の記録媒体を含む広い意味を有している。
【００６７】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行なうことが可能である。また、その技術的特徴が本明細書中に必須なものとして説明されていなければ、適宜、削除することが可能である。
【符号の説明】
【００６８】
１０…印刷装置、２０…移動部、３０…主走査部、３１…ガイド軸、３２…キャリッジ、４０…副走査部、４１…繰出部、４２…支持部、４３…搬送ローラー、４４…巻取部、５０…印刷ヘッド、５１…第１ノズル群、５２…ノズル列、５３…第１ノズルチップ、５４…第２ノズルチップ、５６…第２ノズル群、５７…上流部、５８…重複部、６０…加熱部、９０…制御ユニット、９１…インターフェイス部、９２…メモリー、９３…ＣＰＵ、９５…制御プログラム、９６…閾値テーブル、９７…制御部、９８…媒体種類取得部、２００…印刷制御装置、Ａ…液量、Ｌ１…直線、Ｌ２…直線、Ｌ３…線、Ｌ４…線、Ｌ５…線、Ｍ…媒体、Ｎｚ…ノズル、Ｏ…原点、Ｐ…交点、Ｘ…主走査方向、Ｙ…副走査方向、Ｚ…鉛直方向、ｄｐ…ノズルピッチ
【図１】
2019123134.tif 000003
【図２】
2019123134.tif 000004
【図３】
2019123134.tif 000005
【図４】
2019123134.tif 000006
【図５】
2019123134.tif 000007
【図６】
2019123134.tif 000008
【図７】
2019123134.tif 000009
【図８】
2019123134.tif 000010